(57)【要約】      （修正有）【課題】水深計付き時計において、水深計となる中空管に、清掃用の器具を挿し入れ易くする。【解決手段】水深計付き時計は、水深計として機能する中空管２３の始点位置２４における断面積よりも広い面積の、外部に臨んだ開口４１を有し、開口４１から始点位置２４まで延びて中空管２３に接続した入口管４０を備え、入口管４０の内面の少なくとも一部の面（例えば、外側の側面４６）は、始点位置２４における中空管２３の内面（例えば、外側の側面２１ｄ）に対して傾斜した傾斜面に形成されている。【選択図】図６
2018151235.tif 000002
【特許請求の範囲】
【請求項１】
水深計として機能する中空管と、外部に臨んだ開口を有し、前記開口から前記中空管まで延びて前記開口から浸入する水を前記中空管に導く入口路と、を備え、
前記入口路を形成する内面の少なくとも一部の内面は、その内面が接続される前記中空管の内面に対して傾斜した傾斜面を有する水深計付き時計。
【請求項２】
時刻を表示する時刻表示部を備え、
前記入口路は前記内面として、前記水深計付き時計の平面視で前記時刻表示部に近い側である内側の側面と、前記時刻表示部から遠い側である外側の側面とを有し、
前記少なくとも一部の内面は、前記外側の側面である請求項１に記載の水深計付き時計。
【請求項３】
前記入口路は、前記水深計付き時計の平面視で、前記内側の側面と前記外側の側面との間隔が、前記中空管に近づくにしたがって狭くなる形状に形成されている請求項２に記載の水深計付き時計。
【請求項４】
時刻を表示する時刻表示部を備え、
前記時刻表示部を正面から視認する方向の先を下方、その反対方向を上方としたとき、
前記開口は、前記入口路の上方と側方とにまたがっている請求項１から３のうちいずれか１項に記載の水深計付き時計。
【請求項５】
前記入口路の内面で、かつ前記開口を通じて視認される部分に、前記入口路から前記中空管に向かう方向を示す指標が表示されている請求項１から４のうちいずれか１項に記載の水深計付き時計。
【請求項６】
前記開口の縁は、面取りされている請求項１から５のうちいずれか１項に記載の水深計付き時計。
【請求項７】
前記開口の縁に、上方に凸となる枠が形成されている請求項１から５のうちいずれか１項に記載の水深計付き時計。
【請求項８】
時刻を表示する時刻表示部を備え、
前記水深計は、前記水深計付き時計の平面視で、前記時刻表示部を囲むように環状に形成されて時計の外周部のケースに設けられ、前記中空管は円弧状に形成されている請求項１から７のうちいずれか１項に記載の水深計付き時計。
【請求項９】
前記中空管を含む前記水深計を構成する部分はユニット化されて、時計のケースに対して分離可能である請求項１から８のうちいずれか１項に記載の水深計付き時計。
【請求項１０】
水深計として機能する中空管を備え、
前記中空管の端部が、時計の側面において外部に臨んだ開口に位置するか、
又は、前記開口から浸入する水を前記中空管に導く、前記開口から前記中空管まで延びた入口路を有するとともに、前記入口路は、前記入口路に接続される前記中空管の部分の断面輪郭が前記入口路を形成する内面に遮られずに前記開口まで投影される形状に形成されている水深計付き時計。
【請求項１１】
前記入口路は管状に形成された入口管であり、
前記入口管は、前記中空管の断面積と同じ断面積で形成されている請求項１０に記載の水深計付き時計。
【発明の詳細な説明】
【技術分野】
【０００１】
本発明は、水深計付き時計に関する。
【背景技術】
【０００２】
例えば、ダイバーズウォッチのベゼルの部分に、一端が開口し他端が閉じられた中空管を、ベゼルの周方向に沿って配置した時計がある。この時計を身に着けた使用者が潜水したときに、中空管にはその開口から水が浸入するが、中空管は他端が閉じられているため、他端側に大気圧の空気が閉じ込められた状態となる。中空管の開口の側には、潜水した深さに応じた水圧が作用するが、その水圧と閉じ込められた空気の圧力とが均衡する位置まで水が中空管に浸入する。したがって、中空管の長さ方向における、浸入した水の位置（水と空気との境界位置）に応じて、使用者が潜った水深を簡易に示すことができる（例えば、特許文献１，２参照）。
【先行技術文献】
【特許文献】
【０００３】
【特許文献１】実公平６−０２３９９０号公報
【特許文献２】特許第５４６６１３８号公報
【発明の概要】
【発明が解決しようとする課題】
【０００４】
上述した中空管には、水中から出た後も、水滴や微小な砂粒が残ったりする場合がある。このような水滴や微小な砂粒は、仮に、中空管内に、細長い清掃用の器具を挿し入れることができれば除去することができる。例えば、市販の細く軟らかい樹脂のチューブ管に注射器を接続し、チューブ管を中空管に挿入する。そして、この状態で、注射器によってチューブ管を介して中空管の内部に空気を噴出することで、水滴や砂粒をその空気とともに中空管の外部に押し出すことができる。または、チューブ管を中空管に挿入した状態で、注射器によって吸引することで、水滴や砂粒を中空管の外部に吸い出して、水滴や砂粒を除去することができる。
【０００５】
中空管は、ベゼルの周方向に沿って略均一な太さで形成されているが、この中空管へ通じる水の浸入口となる開口は、ベゼルの上面に形成されている。そして、開口からは時計の厚さ方向に延びた入口管が形成され、この入口管の先端が、ベゼルの周方向に延びた中空管に繋がっている。したがって、チューブ管やブラシなどの清掃用の器具を開口から挿入するとき、器具の先端が、入口管の先、すなわち中空管の内面に突き当たったり、入口管と中空管との接続部分で器具が略直角に折れ曲がったりして、器具を中空管に挿し入れるのが困難であった。
【０００６】
本発明はこのような事情に鑑みなされたもので、水深計となる中空管に清掃用の器具を挿し入れ易くした水深計付き時計を提供することを目的とする。
【課題を解決するための手段】
【０００７】
本発明の第１は、水深計として機能する中空管の始点位置における断面積よりも広い面積の、外部に臨んだ開口を有し、前記開口から前記始点位置まで延びて前記中空管に接続した入口管を備え、前記入口管の内面の少なくとも一部の面は、前記始点位置における前記中空管の内面に対して傾斜した傾斜面に形成された水深計付き時計である。
【０００８】
本発明の第２は、水深計として機能する中空管を備え、前記中空管の端部が、時計の側面において外部に臨んだ開口に位置するか、又は、前記開口から浸入する水を前記中空管に導く、前記開口から前記中空管まで延びた入口路を有するとともに、前記入口路は、前記入口路に接続される前記中空管の部分の断面輪郭が前記入口路を形成する内面に遮られずに前記開口まで投影される形状に形成されている水深計付き時計である。
【発明の効果】
【０００９】
本発明に係る水深計付き時計によれば、水深計となる中空管に清掃用の器具を挿し入れ易くすることができる。
【図面の簡単な説明】
【００１０】
【図１】本発明に係る水深計付き時計の一例を示す、正面から見た写真（平面図）である。
【図２】図１に示した時計におけるケース及び水深計を示す図である。
【図３】図２におけるＩ−Ｉ線に沿った断面による断面図である。
【図４】図２におけるＩＩ−ＩＩ線に沿った断面による断面図であって、ケースから水深計を分離した状態を示す。
【図５】図２におけるＩＩＩ−ＩＩＩ線に沿った断面図である。
【図６】図２における入口管の詳細を示す平面図である。
【図７】時計の中空管に水滴や砂粒等空気以外の異物が残存した場合に、これらを除去するための清掃用の器具の一例である清掃用器具を示す外観図である。
【図８】入口管の開口が、上側リングの外周面に形成された水深計を示す図であり、開口が矩形であるものを示す。
【図９】入口管の開口が、上側リングの外周面に形成された水深計を示す図であり、開口が角丸の矩形であるものを示す。
【図１０】入口管の開口が、上側リングの外周面に形成された水深計を示す図であり、開口が楕円形であるものを示す。
【図１１】開口の縁に面取りが形成されている水深計を示す図６相当の平面図である。
【図１２】開口の縁に上方に凸となる枠が形成されている水深計を示す図６相当の平面図である。
【図１３】入口管の上方（上側リングの上面）と外側の側方（上側リングの外周面）とにまたがって形成された開口を示す平面図及び側面図である。
【図１４】時計の側面（上側リングの外周面等。以下、同じ。）において外部に臨んだ開口を有し、開口から、水深計として機能するＣ字状に形成された中空管の始点位置に、中空管の接線方向に延びた入口管を備えた水深計を示す平面図及び側面図である。
【発明を実施するための形態】
【００１１】
＜実施形態１＞
＜時計の全体構成＞
以下、本発明に係る水深計付き時計の実施形態について、図面を参照して説明する。図１は本発明の一実施形態である水深計付き時計１００を示す正面から見た写真（平面図）、図２は図１に示した時計１００におけるケース１０及び水深計２０を示す図、図３は図２におけるＩ−Ｉ線に沿った断面による断面図、図４は図２におけるＩＩ−ＩＩ線に沿った断面による断面図であって、ケース１０から水深計２０を分離した状態を示し、図５は図２におけるＩＩＩ−ＩＩＩ線に沿った断面図、図６は図２における入口管４０の詳細を示す平面図である。
【００１２】
図１に示した時計１００は、時計の指針を駆動するムーブメント、時刻を表示する文字板６０（図３参照）及び指針から構成される時刻表示部８０等を収容したケース１０の外周壁の上であって、通常はベゼルが配置される時計１００の外周部分に、水深計２０を備えている。水深計２０は、図２に示すように円環状に形成されていて、この円環の周方向に沿って延びた、水深計として機能する中空管２３を有している。中空管２３は、時計１００の約２時の方向において閉じた端部から反時計回りに時計１００の約３時の位置（「０」の数字３１が描かれた始点位置２４）まで、時計１００の平面視で時刻表示部８０を取り囲むように環状であるＣ字状（円弧状）に形成されている。中空管２３は、Ｃ字状に形成される間の太さ（断面積Ｓ）は均一である。そして、この約３時の始点位置２４から時計回りの約２時の閉じた終端位置までの範囲が、水深計２０として機能する部分となっている。中空管を含む水深計２０はユニット化されている。
【００１３】
時計１００は、図２，４に示すように、ケース１０の外周壁の上面における時計１００の１２時の位置と６時の位置にそれぞれ１つずつ丸穴１０ａが形成されている。一方、水深計２０の互いに対角となる２つの位置には、図４に示すように、各丸穴１０ａにそれぞれ嵌め合わされる丸凸部２０ａが形成されている。そして、水深計２０の２つの丸凸部２０ａが、時計１００のケース１０の各丸穴１０ａに対応して嵌め合わされて、ケース１０と水深計２０との取付けの周方向の位置決めがされた状態で、水深計２０がケース１０に接着される。
【００１４】
水深計２０は、図３，４に示すように、円環の半径方向に沿った断面が凹状に形成された上側リング２１と、円環の半径方向に沿った断面が凸状に形成された下側リング２２とを有している。上側リング２１は、無色透明又は有色透明の樹脂で形成されているがガラスであってもよい。下側リング２２は、不透明又は半透明の樹脂で形成されているが、ガラス製であってもよい。
【００１５】
下側リング２２の凸部分２２ａの高さの寸法は、上側リング２１の凹部分２１ａの深さの寸法よりも短く形成されている。そして、上側リング２１と下側リング２２は、凹部分２１ａと凸部分２２ａとが向かい合う向きで配置され、凹部分２１ａに凸部分２２ａが嵌め合わされた状態で、凹部分２１ａと凸部分２２ａとの寸法の差により形作られた空洞の部分が、中空管２３を形成している。上側リング２１と下側リング２２とは、この状態で超音波溶着により一体に接合されている。なお、上側リング２１と下側リング２２とは、超音波溶着の他、接着剤による接着により一体に接合されていてもよい。
【００１６】
中空管２３の、時計１００の約３時の始点位置２４は、上側リング２１の上面２１ｂ（凹部分２１ａを下向きとした姿勢で上方に向いた面）において、一端が外部に臨んだ開口４１を有する入口管４０が接続している。入口管４０は、開口４１から浸入した水を中空管２３に導く入口路の一例であり、中空の部分の周囲の全周が面で囲まれた管状に形成されている。
【００１７】
上側リング２１の上面２１ｂには、図２に示すように、円環の周方向に沿って並んだ数字３１が描かれている。数字３１は、時計１００の約３時の位置に描かれた「０」から、時計回りに時計１００の約９時の位置に配置された「１４」まで、「２」、「３」、「４」、「５」、「６」、「７」、「８」、「９」、「１０」、「１２」が描かれている。また、数字３１は、時計１００の約９時の位置の「１４」から、時計回りに時計１００の約１２時の位置に配置された「５０」まで、「１６」、「２０」、「２５」、「３０」、「４０」が描かれている。なお、「５０」の数字３１よりも時計回り方向の先には、「ｍ」の文字３２、「Over Dose」の文字３３が描かれている。
【００１８】
これらの数字３１は、水深計２０が示す水深［ｍ］を表す数値である。すなわち、時計１００を身に着けた使用者が潜水したときに、水深計２０として中空管２３には入口管４０を通じて水が浸入するが、中空管２３は一端部が閉じられているため、潜水する以前の状態で中空管２３に満たされていた大気圧の空気が閉じ込められた状態となる。中空管２３の始点位置の側には、潜水した深さに応じた水圧が作用するが、その水圧と閉じ込められた空気の圧力とが均衡する位置まで水が中空管２３に浸入する。
【００１９】
したがって、中空管２３の長さ方向（時計回り方向）における、浸入した水の位置（水と空気との境界位置。以下、同じ。）は、使用者が潜った水深を簡易に示すものとなる。上側リング２１は透明であるため、使用者は、時計１００の正面から、中空管２３に浸入した水の位置を視認することができる。上述した上側リング２１の上面２１ｂの各位置に描かれた数字３１は、潜った深さに応じて中空管２３に浸入した水の位置にそれぞれ描かれた水深を示す数値である。
【００２０】
具体的には、中空管２３の「５」の数字３１の位置まで水が浸入しているときは、水深が５［ｍ］であることを示し、中空管２３の「３０」の数字３１の位置まで水が浸入しているときは、水深が３０［ｍ］であることを示す。なお、水深計２０としては、「５０」の数字３１の描かれた水深５０［ｍ］まで機能するものである。
【００２１】
上述した各数字３１は、上側リング２１の上面２１ｂに、対応する数値が凹んで形成され、その凹んだ部分が塗料で埋められている。このように形成された数字３１は、上面２１ｂが擦られても凹んだ部分を埋めた塗料が残るため、平らな上面２１ｂに印刷等で単に塗料を付したものに比べて、数字３１を視認させるための耐久性が高い。なお、平らな上面２１ｂに印刷等で塗料を付したものを適用してもよい。
【００２２】
また、数字３１は、上側リング２１の上面２１ｂに描かれたものでなく、例えば下側リング２２の凸部分２２ａの上面２２ｂ（中空管２３の内面を形成している面）に描かれていてもよい。
【００２３】
入口管４０の開口４１は、図５に示すように、外部に臨んだ面（上面２１ｂに沿った面）内での面積Ｓ１が中空管２３の始点位置２４における断面積Ｓよりも広く形成されている。
【００２４】
入口管４０は、上側リング２１の上面２１ｂの開口４１から中空管２３の始点位置２４まで延びた中空の管であり、始点位置２４において中空管２３に接続している。入口管４０は、図５に示すように、時計１００の厚さ方向に沿った高さ寸法Ｈ１が中空管２３の始点位置２４に近づくにしたがって徐々に小さくなっている。入口管４０を形成する上面（天面）４３は中空管２３の上面２１ｃに対して傾斜した傾斜面となり、下面４２は中空管２３の下面２２ｂに対して傾斜した傾斜面となっている。
【００２５】
そして、入口管４０の高さ寸法Ｈ１は、始点位置２４において中空管２３の高さ寸法Ｈと一致し、入口管４０の上面４３は、中空管２３の上面（天面）２１ｃと段差なく接続され、入口管４０の下面４２は、中空管２３の下面（凸部分２２ａの上面２２ｂ）と接続されている。
【００２６】
なお、入口管４０の下面４２と中空管２３の下面２２ｂとの間には段差４５が形成されているが、入口管４０の下面４２と中空管２３の下面２２ｂとは段差４５を介して接続されている。また、この段差４５は、入口管４０から見て、中空管２３が内側に突出しているものではないため、入口管４０から中空管２３に進むときの出っ張りにはならない。この段差４５は形成されていなくてもよく、入口管４０の下面４２と中空管２３の下面２２ｂとが段差４５を介さずに直接接していてもよい。
【００２７】
また、上側リング２１の上面２１ｂと入口管４０の下面４２及び上面４３との間には、上面２１ｂに対して直交する垂直面４４が形成されているが、この垂直面４４は、上面２１ｂと下面４２及び上面４３との間の部分に製造上生じ得るヒケや面のダレ、欠け等を防ぐ目的で形成されている。仮に、垂直面４４が形成されず、上側リング２１の上面２１ｂと入口管４０の上面４３とが交わる部分が尖った形状である場合、この部分が欠けたり、成型時に尖った部分まで樹脂が十分に充填されずにヒケや面のダレの原因となったりする。したがって、このような製造上の問題が生じ得ない場合は、垂直面４４を形成する必要はない。
【００２８】
入口管４０は、図６に示すように、平面視においても、上側リング２１の周方向に直交する方向（上側リング２１の半径方向）に沿った幅Ｗ１が中空管２３の始点位置２４に近づくにしたがって徐々に小さくなっていて、入口管４０の半径方向の外側の側面４６は中空管２３の外側の側面２１ｄに対して傾斜した傾斜面となり、内側の側面４７は中空管２３の内側の側面２１ｅに対して傾斜した傾斜面となっている。
【００２９】
なお、外側の側面４６は、時計１００の平面視で、時刻表示部８０に対して入口管４０における外周側に位置する側面（時刻表示部８０から相対的に遠い側の側面）である。内側の側面４７は、時計１００の平面視で、時刻表示部８０に対して入口管４０における内周側（時刻表示部８０に相対的に近い側の側面）に位置する側面である。
【００３０】
そして、入口管４０の平面視での幅Ｗ１（外側の側面４６と内側の側面４７との間隔）は、始点位置２４に近づくにしたがって狭くなり、始点位置２４において中空管２３の幅Ｗと一致する。そして、始点位置２４において、入口管４０の外側の側面４６は中空管２３の外側の側面２１ｄと段差なく接続され、入口管４０の内側の側面４７は中空管２３の内側の側面２１ｅと段差なく接続されている。
【００３１】
なお、入口管４０の下面４２のうち図６の平面視において開口４１の投影される範囲（開口４１を通じて視認される部分）には、図２に示すように、水深計２０によって示される深さを意味する「ＤＥＰＴＨ」の文字４８ａと、始点位置２４に向いて、後述する清掃用の器具２００を挿し入れる向きを意味する横向きの「▲」の記号４８ｂが描かれている。記号４８ｂは、入口管４０から中空管２３に向かう方向を示す指標である。
【００３２】
＜清掃用の器具＞
図７は、時計１００の中空管２３に水滴や砂粒等空気以外の異物が残存した場合に、これらを除去するための清掃用の器具の一例である清掃用の器具２００を示す外観図である。図示の清掃用の器具２００は、注射器型の吸引・噴出器２２０と、吸引・噴出器２２０に繋がれた細いチューブ管２１０とを備えている。吸引・噴出器２２０は、注射器と同様にピストンを押し込むことで内部の空気を外部に噴出し、ピストンを引くことで内部に空気等を引き込む。チューブ管２１０は、軟らかい樹脂等で形成された管であり、中空管２３に挿入できる程度に外径が細く形成されている。
【００３３】
そして、チューブ管２１０を中空管２３に挿し入れた状態で、吸引・噴出器２２０のピストンを引くことで、中空管２３に残存した異物を、チューブ管２１０や吸引・噴出器２２０の内部に吸引して除去することができる。また、吸引・噴出器２２０のピストンを押し込むことで、中空管２３の内部を高圧にし、中空管２３に残存した小さい異物を、中空管２３とチューブ管２１０との間の隙間を通じて開口４１から外部に吹き飛ばして除去することもできる。
【００３４】
＜作用＞
上述した本実施形態１の水深計付き時計１００によれば、中空管２３に繋がった入口管４０の開口４１の面積Ｓ１が、中空管２３の断面積Ｓよりも広いため、図５，６に示すように、チューブ管２１０の先端２１１を中空管２３の始点位置２４に直接挿し入れるよりも開口４１に挿し入れる方が挿し入れ易い。
【００３５】
また、開口４１から入口管４０に挿し入れられたチューブ管２１０は、入口管４０の内面である各面４２，４３，４６，４７が開口４１の面に対してそれぞれ傾斜して形成されているため開口４１の面に対して入口管４０の各面４２，４３，４６，４７が直交して構成されているものよりも、開口４１に対して直交してチューブ管２１０の先端２１１が傾斜した面（例えば下面４２）に突き当たっても、チューブ管２１０がその傾斜した面に倣い易くなる。したがって、チューブ管２１０が挿し入れられる向きは、その傾斜した面に沿った向きに修正される。
【００３６】
入口管４０の各面４２，４３，４６，４７は、始点位置２４において中空管２３に対して断面積を狭める段差がなく接続するように中空管２３の各面２２ｂ，２１ｃ，２１ｄ，２１ｅに対してそれぞれ傾斜している。これにより、入口管４０を進むチューブ管２１０の先端２１１はいずれかの面４２，４３，４６，４７に接触してチューブ管２１０の進む向きが適宜修正されながら、中空管２３の始点位置２４に向けて進む。したがって、時計１００は、チューブ管２１０を中空管２３の内部にスムーズに案内させることができる。
【００３７】
また、入口管４０の各面４２，４３，４６，４７は、チューブ管２１０の先端２１１が引っかかる凸状部がなく、平坦面に形成されているため、入口管４０を進むチューブ管２１０の先端２１１は、それぞれの面４２，４３，４６，４７に阻まれずに始点位置２４に向けて進むことができる。仮に、入口管４０の各面４２，４３，４６，４７に、始点位置２４に向かう途中に凹んだ形状の段差部（入口管４０の断面積を広げる形状の段部）が形成されていても、入口管４０を進むチューブ管２１０の先端２１１は、それぞれの面４２，４３，４６，４７に阻まれずに始点位置２４に向けて進むことができる。
【００３８】
本実施形態の時計１００は、入口管４０の下面４２のうち図６の平面視において開口４１の投影される範囲に、始点位置２４に向いて記号４８ｂ（「▲」）が描かれているため、開口４１からチューブ管２１０を始点位置２４に向けて挿し入れる向きを、使用者に視認させることができる。
【００３９】
本実施形態の時計１００は、水深計２０が時計１００の外周部分に形成されているため、他の部分に形成されているものよりも、中空管２３の長さを長く確保することができる。そして、中空管２３がその外周部分において、Ｃ字状に延びて形成されているため、長い長さに対応して、より深い深さまでの水深を表示して指示することができる。
【００４０】
本実施形態の時計１００は、水深計２０がユニット化され、ケース１０に対して固着されている。つまり、時計１００は、水深計２０をケース１０に固着する前の状態で、時計１００の防水性が担保されている。したがって、時計１００は、水深計２０の有無で一般的に用いられている防水の構造を変える必要がない。また、仮に、下側リング２２をケース１０に螺着（ねじ溝に沿ったねじ込みでの装着）して着脱することで分離可能にした構造にするなど、水深計２０を時計１００から取り外した状態にできるようにすることで、時計１００や水深計２０のメンテナンスを容易にしたり、水深計２０を他の水深計と交換するのを容易にしたりすることができる。このように、本発明に係る水深計付き時計は、水深計が時計本体から分離可能であるものにも適用することができる。
【００４１】
＜変形例＞
上述した実施形態の水深計付き時計１００は、清掃用の器具として、注射器型の吸引・噴出器２２０とチューブ管２１０とが組み合わされた清掃用の器具２００を用いるのに適したものとして説明したが、本発明に係る水深計付き時計は、この形態の清掃用の器具２００を用いるものに限定されない。例えば、吸引・噴出器２２０としては、注射器型でなくてもよいし、吸引のみや噴出のみのものであってもよい。
【００４２】
また、中空管２３に挿入して内部の異物を除去する清掃用の器具として、ストロー用の細長いブラシ（ワイヤの先端部にブラシ毛が設けられたもの）などを用いた場合にも、チューブ管２１０と同様に、そのブラシを中空管２３の内部にスムーズに案内させることができる。
【００４３】
また、実施形態の水深計付き時計１００は、中空管２３が矩形状の断面を有するものであるが、断面形状は矩形に限らず、角丸の矩形、円形であってもよいし、楕円形であってもよいし、三角形やその他の多角形等であってもよい。入口管４０の断面形状についても、中空管２３の形状に対応させて、角丸の矩形、円形であってもよいし、楕円形であってもよいし、三角形やその他の多角形等であってもよい。なお、入口管４０の断面形状は、中空管２３に接続される部分（例えば、始点位置２４）において、中空管２３の内面が入口管４０の内面よりも内側に出っ張ってさえいなければ、中空管２３の断面形状と異なる形状を適用することもできる。
【００４４】
また、実施形態の水深計付き時計１００は、中空管２３の始点位置２４を、「０」の数字３１が描かれた位置としているが、始点位置２４に「０」の数字３１やその他の文字・記号が描かれていなくてもよい。また、始点位置２４に数字３１やその他の文字・記号が描かれている場合に、その数字３１や文字・記号が始点位置２４に厳密に一致していなくてもよい。水深計２０は、通常はある程度の深さ（数［ｍ］）以上に潜ったときに、その水深を確認するものとして用いられることが多く、１，２［ｍ］程度の極浅い水深を極めて正確に指示する必要は無く、したがって、始点位置２４に対して水深０［ｍ］を示す数字３１や文字・記号が多少ずれた位置に描かれていてもよい。
【００４５】
また、実施形態の水深計付き時計１００は、入口管４０の下面４２、上面４３、外側の側面４６及び内側の側面４７という全ての面が、中空管２３の対応する面２２ｂ．２１ｃ，２１ｄ，２１ｅに対して傾斜して形成されているが、これら入口管４０の全ての面４２，４３，４６，４７が傾斜している必要はない。すなわち、入口管４０の少なくとも一部の面だけ（例えば、外側の側面４６のみ、下面４２のみ、又は外側の側面４６と下面４２等）が傾斜していてもよく、この場合であっても、入口管４０の全ての面４２，４３，４６，４７が傾斜していないものに比べて、上述したチューブ管２１０の先端２１１を傾斜した面に当てることにより中空管２３に挿し入れ易くなり、チューブ管２１０をスムーズに案内させることができる効果を発揮する。
【００４６】
なお、本実施形態の時計１００のように、中空管２３が時計１００の外周部分に配置されたリング状に形成されたものであるときは特に、少なくとも入口管４０の外側の側面４６を傾斜した面とすることで、チューブ管２１０を中空管２３まで案内し易い。
【００４７】
また、入口管４０の下面４２や上面４３の傾斜の程度を小さくするか、又は傾斜させない面に形成して、入口管４０の開口４１を、上側リング２１の上面２１ｂではなく外周面２１ｆに形成することもできる。図８，９，１０はそれぞれ、入口管４０の開口４１が、上側リング２１の外周面２１ｆに形成された水深計２０を示す図である。なお、図８は開口４１が矩形であり、図９は開口４１が角丸の矩形であり、図１０は開口４１が楕円形である。本実施形態の時計１００は、図８，９，１０に示すように、入口管４０の下面４２や上面４３の傾斜の程度を小さくすることで、入口管４０の下面４２及び上面４３を形成する部分の板厚を厚くして強度を確保し、入口管４０の開口４１を、上側リング２１の外周面２１ｆに形成してもよい。
【００４８】
実施形態の水深計付き時計１００は、入口管４０の下面４２、上面４３、外側の側面４６及び内側の側面４７という傾斜した面が全て平面であるが、傾斜した面は平面でなく曲面であってもよい。
【００４９】
図１１は開口４１の縁に、面取り４１ａが形成されている水深計２０を示す図６相当の平面図、図１２は開口４１の縁に、上方に凸となる枠４１ｂが形成されている水深計２０を示す図６相当の平面図である。上述した実施形態の水深計付き時計１００は、開口４１の縁に、図１１に示すように面取り４１ａが施されていてもよい。また、開口４１の縁に、図１２に示すように上方に凸となる枠４１ｂが形成されていてもよい。これら面取り４１ａや枠４１ｂが形成されていることにより、開口４１が装飾された印象を与え、外観品質を向上させることができる。
【００５０】
図１３は入口管４０の上方（上側リング２１の上面２１ｂ）と外側の側方（上側リング２１の外周面２１ｆ）とにまたがって形成された開口４１を示す平面図及び側面図である。なお、時計１００の時刻表示部を基準とした場合、時刻表示部を正面から視認して向かう方向が下方であり、その反対方向が上方である。
【００５１】
上述した実施形態の時計１００は、入口管４０が、水深計２０の上側リング２１の上面２１ｂ（図５参照）のみにおいて開口４１を有するように形成されたものであるが、入口管４０の開口４１が、図１３に示すように、上側リング２１の上面２１ｂと上側リング２１の外周面２１ｆとにまたがって形成されていてもよい。このように上面２１ｂと外周面２１ｆとにまたがって形成された開口４１は、上面２１ｂにのみ形成された開口４１よりも広い面積で形成することができるため、チューブ管２１０を、入口管４０に、一層挿し入れ易くすることができる。
【００５２】
また、入口管４０の幅Ｗ１が、中空管２３に近づくにしたがって狭くなる形状であるため、チューブ管２１０が、入口管４０の幅方向の一方の側面（例えば、外側の側面４６）側に偏って挿入された場合であっても、中空管２３に近づくにしたがって、チューブ管２１０を入口管４０の幅方向の中央に導くことができる。これにより、チューブ管２１０を中空管２３に一層導き易くすることができる。
【００５３】
実施形態の時計１００は、水深計２０がユニット化されてケース１０に固着されているが、水深計２０がケース１０の外周壁の一部として形成されていてもよい。
【００５４】
また、水深計２０は、Ｃ字状の中空管２３を有するものでなくてもよく、中空管２３は例えば直線状に延びたものであってもよい。この場合、例えば、直線状に延びた棒状の水深計２０は、ケース１０に隣接して時計１００の９時側の側部で、１２時側から６時側に向かう方向に平行に、ケース１０に固着又は着脱可能に設けることができる。同様に、直線状に延びた棒状の水深計２０は、ケース１０に隣接して、時計１００の３時側の側部で１２時側から６時側に向かう方向に平行に配置したり、時計１００の１２時側又は６時側の側部で３時側から９時側に向かう方向に平行に配置することができる。
【００５５】
さらに、直線状に延びた棒状の水深計２０の別の例として、風防ガラス１２と文字板６０（図２参照）との間の空間において、時計１００の１２時の位置と６時の位置とを結ぶ直線に沿って設けられてもよい。この場合、入口管４０の開口４１が時計１００の外部に臨むように、水深計２０が配置される必要がある。
【００５６】
なお、水深計２０が、風防ガラス１２と文字板６０（図２参照）との間の空間に配置されるものでは、文字板６０の外周縁付近に見返しリングを配置し、この見返しリングに水深計２０の両端が支持されてもよい。
【００５７】
＜実施形態２＞
図１４は、時計１００の側面（上側リング２１の外周面２１ｆ等。以下、同じ。）において外部に臨んだ開口４１を有し、開口４１から、水深計２０として機能するＣ字状に形成された中空管２３の始点位置２４に、中空管２３の接線方向に延びた入口管４０を備えた水深計２０を示す平面図及び側面図である。
【００５８】
上述した実施形態の水深計付き時計１００は、入口管４０の少なくとも一部の面が傾斜して形成されているものであるが、図１４に示すように、時計１００の側面である上側リング２１の外周面２１ｆにおいて外部に臨んだ開口４１を有し、開口４１から、水深計２０として機能するＣ字状に形成された中空管２３の始点位置２４に、中空管２３の接線方向に延びた入口管４０を備えたものであってもよい。
【００５９】
なお、上述した実施形態では、中空管２３の始点位置２４はＣ字状の管の一方の端部に位置しているため、中空管２３の接線方向は、始点位置２４における接線方向となる。ここで、仮に、中空管２３が、Ｃ字状の管の一端部に短い長さの直線状の管が一体に形成されていて、水深計として機能する中空管２３が、そのＣ字状の管と直線状の管とで構成される場合、中空管２３の始点位置２４は、その直線状の管の他端（Ｃ字状の管と接続された側の端とは反対側の端）に位置する。この場合、中空管２３の始点位置２４における接線方向は、直線状の管を延長した方向となる。
【００６０】
さらに、中空管２３は、風防ガラス１２と文字板６０との間の空間（時計１００の厚さ方向における空間）において、時計１００の時刻１２時の位置と時刻６時の位置とを結ぶ直線に沿って設けられてもよい。この場合、開口４１は、時計１００の時刻１２時の位置又は時刻６時の位置において、上側リング２１の外周面２１ｆの外部に臨むように構成される。
【００６１】
なお、水深計２０が、風防ガラス１２と文字板６０との間の空間に配置されるものでは、水深計２０の両端は文字板６０の外周縁付近に配置されることがある見返しリングに、水深計２０の両端が支持されてもよい。
【００６２】
なお、入口管４０の下面４２は中空管２３の下面２２ｂに段差なく接続し、入口管４０の上面４３は中空管２３の上面２１ｃに段差なく接続し、入口管４０の外側の側面４６は中空管２３の外側の側面２１ｄに段差なく接続し、入口管４０の内側の側面４７は中空管２３の内側の側面２１ｅに段差なく接続している。また、入口管４０の断面積Ｓ２は、中空管２３の断面積Ｓと同じに形成されている。
【００６３】
なお、入口管４０の内面は、入口管４０に接続される中空管２３の断面輪郭が、開口４１まで遮られずに投影される形状に形成されていれば、入口管４０の断面積Ｓ２は開口４１に向かって大きくなるように変化してもよい。入口管４０の断面積Ｓ２が中空管２３の断面積Ｓと同じ場合も、入口管４０に接続する中空管２３の断面輪郭が開口４１まで遮られずに投影されるという前述の条件を満たす。
【００６４】
このように構成された実施形態２の水深計付き時計１００によれば、入口管４０が、中空管２３から真っ直ぐに延びる方向を遮らずに開口４１まで延びているため、チューブ管２１０が入口管４０の内部で曲がらずに、中空管２３までスムーズに案内させることができる。
【００６５】
また、入口管４０の断面積Ｓ２が中空管２３の断面積Ｓと同じ場合は、入口管４０と中空管２３は、断面積Ｓ２（太さ）が一定の一直線の管になるため、簡単に形成することができる。
【００６６】
また、図１４に示したように、時計１００の平面視において中空管２３が時刻表示部８０（図１参照）を囲み、開口４１が時計１００の側面である上側リング２１の外周面２１ｆに形成されているものでは、中空管２３が時刻表示部８０の外側に配置されていないものに比べて中空管２３の長さが長く、かつ中空管２３や入口管４０を単純な形状にすることができるため、チューブ管２１０を中空管２３の内部にスムーズに案内させることができる。
【００６７】
また、水深計付き時計１００は、中空管２３の端部（始点位置２４）がそのまま開口４１に位置している場合は、上述した入口管４０を有するものでなくてもよい。この場合は、中空管２３の端部に始点位置２４があるため、始点位置２４が開口４１に位置することとなり、チューブ管２１０を中空管２３の内部にスムーズに案内させることができる。
【００６８】
なお、入口管４０の開口４１の縁については、実施形態１と同様に、面取り４１ａ（図１１参照）が形成されていてもよいし、枠４１ｂ（図１２参照）が形成されていてもよい。また、入口管４０の断面形状についても、中空管２３の形状に対応させて、角丸の矩形、円形であってもよいし、楕円形であってもよいし、三角形やその他の多角形等であってもよい。
【００６９】
さらに、入口管４０の下面４２，上面４３，外側の側面４６，内側の側面４７と、中空管２３の下面２２ｂ，上面２１ｃ，外側の側面２１ｄ，内側の側面２１ｅとの間に段差があっても、その形状が中空管２３側の方が凹んだ段差であれば、チューブ管２１０を中空管２３の内部にスムーズに案内することができる。
【００７０】
同様に、入口管４０の下面４２，上面４３，外側の側面４６，内側の側面４７に段差があっても、入口管４０から中空管２３に向かう方向に凹んだ段差であれば、チューブ管２１０を中空管２３の内部にスムーズに案内することができる。
【００７１】
また、上述した各実施形態及び変形例は、開口４１から浸入する水を中空管２３まで導く入口路として、周囲の全周が面で囲まれた管状の入口管４０の例を示したが、本発明に係る水深計付き時計における入口路は、管状でなくてもよい。例えば、その入口路としては、図６において入口管４０における外側の側面４６を有していない通路や、図５において、上面４３が垂直方向に向くことにより管状を形成しない通路でもよい。これらの入口路であっても、例えば実施形態１において、入口路の少なくとも一部に傾斜面が形成されてさえいれば、その傾斜面を利用してチューブ管２１０を中空管２３の内部にスムーズに案内することができ、本発明に係る水深計付き時計の一例となる。
【００７２】
また、上述した実施形態１及び変形例は、開口４１の面積Ｓ１が、中空管２３の始点位置２４における断面積Ｓよりも広い例を示したが、清掃用の器具２００における中空管２３内への挿入部が、中空管２３の太さよりも十分に細い場合は、開口４１の面積Ｓ１が中空管２３の始点位置２４における断面積Ｓよりも広くなくてもよい。この場合は、開口４１の面積Ｓ１は、清掃用の器具２００における中空管２３内への挿入部が容易に挿入可能な面積であればよい。
【符号の説明】
【００７３】
２０    水深計
２１ｄ，４６  外側の側面
２３    中空管
２４    始点位置
４０    入口管
４１    開口
１００  水深計付き時計
Ｓ      断面積
Ｓ１    面積
【図１】
2018151235.tif 000003
【図２】
2018151235.tif 000004
【図３】
2018151235.tif 000005
【図４】
2018151235.tif 000006
【図５】
2018151235.tif 000007
【図６】
2018151235.tif 000008
【図７】
2018151235.tif 000009
【図８】
2018151235.tif 000010
【図９】
2018151235.tif 000011
【図１０】
2018151235.tif 000012
【図１１】
2018151235.tif 000013
【図１２】
2018151235.tif 000014
【図１３】
2018151235.tif 000015
【図１４】
2018151235.tif 000016